(57)【要約】【課題】  サイクロン集塵機におけるダストカップとカップ蓋組立体との装着・解除に際して、操作箇所を少なくして、サイクロン集塵機の作業性・利便性を高めたサイクロン式掃除機を提供する。【解決手段】  サイクロン集塵機１０のカップ蓋組立体１１に設けられているポップアップ状態のハンドル体３０を手で掴んだ状態で、ロック手段を構成する単一のクランプ２３を空いている他方の手で操作することで、カップ蓋組立体１１のダストカップ１２に対する上下軸方向のロックが解除される。ハンドル体３０を掴んだまま引き上げることにより、カップ蓋組立体１１の下部とダストカップ１２の底部との間に設けられている相対回転防止手段の係合も外される。ロック手段と相対回転防止手段との組合せにより、カップ蓋組立体１１とダストカップ１２との分離・装着の際における作業性・利便性が高まる。【選択図】      図４
2006167186.tif 000002
【特許請求の範囲】
【請求項１】
サイクロン流れが流入して当該流れ内に含まれる塵埃を集積可能なダストカップと、前記ダストカップに装着可能であり且つ前記ダストカップの開口部を閉鎖可能な蓋部及び前記蓋部に内部側に組み立てられ前記サイクロン流れを濾過して濾過流れを排気するフィルタ部を有するカップ蓋組立体とを備え、前記ダストカップと前記カップ蓋組立体との間には、前記カップ蓋組立体の前記ダストカップへの装着状態で機能する相対回転防止手段と、前記カップ蓋組立体の前記ダストカップからの軸方向の抜出しを防止する解除可能な単一のロック手段とが設けられていることから成るサイクロン式掃除機。
【請求項２】
前記カップ蓋組立体は、前記フィルタ部の下部に取り付けられ且つ前記ダストカップの底部に達する流れ規制羽根を更に有しており、前記相対回転防止手段は、前記カップ蓋組立体の前記流れ規制羽根の下端部と、前記ダストカップの底部に形成されており前記流れ規制羽根の下端部と係合可能なリブ部とによって構成されることから成る請求項１に記載のサイクロン式掃除機。
【請求項３】
前記ロック手段は、前記ダストカップに前記カップ蓋組立体をロック状態に置くロック位置と、前記カップ蓋組立体を非ロック状態に置く非ロック位置との間で変位可能であることから成る請求項１又は２に記載のサイクロン式掃除機。
【請求項４】
前記ロック手段は、前記ダストカップに回動可能に設けられているクランプ及び前記クランプを前記ロック位置に向かって付勢する弾性手段を有していることから成る請求項３に記載のサイクロン式掃除機。
【請求項５】
前記カップ蓋組立体は、前記蓋部の外方へ突出して設けられており前記クランプと係合可能な爪部を有していることから成る請求項４に記載のサイクロン式掃除機。
【請求項６】
前記カップ蓋組立体には、握り用のハンドルが飛び出し可能に設けられていることから成る請求項１〜５のいずれか１項に記載のサイクロン式掃除機。
【発明の詳細な説明】
【技術分野】
【０００１】
この発明は、吸引した空気を旋回させることによって空気中に含まれる塵埃を遠心分離するサイクロン式掃除機に関し、特に、掃除機本体に対して着脱自在であり、空気と共に吸い込んだ塵埃を取り除くサイクロン集塵機を備えたサイクロン式掃除機に関する。
【背景技術】
【０００２】
従来から、サイクロン集塵機を備えた電気掃除機が種々提案されている。サイクロン集塵機は、内部に導入された空気を高速旋回させることで、空気中の塵埃を遠心分離してダストカップ内に集塵するものである。取り除いたゴミの中を排気空気が通らないため、ゴミの蓄積にかかわらず集塵パワーが持続し且つ排気中にゴミの臭いを出しにくいという利点がある。遠心分離されない微細な塵埃は、空気とともにサイクロン集塵機の中央に設けられた排気筒から排出されるときに、排気筒の周面に設けられているメッシュ状のフィルタによって除去される。塵埃が取り除かれた後の空気は、排気筒から外部に排出される。
【０００３】
本出願人は、既に、サイクロン集塵機を掃除機本体に収容するタイプの電気掃除機において、排気筒に被覆されるフィルタを自動清掃し、フィルタから掻き落とされた塵埃の外部への漏洩を抑制し、衛生面を向上させることを提案している（特許文献１）。この提案によれば、サイクロン集塵機のサイクロン本体は、排気筒の表面に被覆されたフィルタと摺動することによってフィルタを清掃する清掃具と、サイクロン集塵機の掃除機本体に対する着脱動作と連動して、清掃具とフィルタとを摺動させる摺動手段とを有している。摺動手段は、清掃具と連結棒を介して連結されるとともに、掃除機本体側に設けられる位置決め部にて支持される支持部と、サイクロン集塵機の掃除機本体からの取り出し方向に、支持部を支点として固定板に固定される筐体を付勢する第２付勢手段とを有して構成されている。
【０００４】
また、塵埃の分離効率が高く、また分離した塵埃が排気筒に付着することを効果的に防止できるサイクロン集塵式電気掃除機が提案されている（特許文献２）。このサイクロン集塵式電気掃除機は、伝動送風機の運転によって発生する気流を流入口からサイクロン集塵装置の分離室に流入させて高速の旋回気流とし、旋回気流を分離室と集積室との境界に配置された遮蔽部材の外側を通って下降させて、集積室に流入させる構造とされている。下降旋回気流は、集積室の底面近くで上昇旋回気流に転じ、遮蔽部材から集積室の底面に向かって延びる分離ブレードに衝突して旋回気流が方向転換するときに気流中の塵埃が分離される。上昇旋回気流が遮蔽部材の縁に設けたループ状の障壁を越えるとき、また遮蔽部材の外周に旋回気流を遮るように所定間隔で形設したリブを越えるとき、それぞれ塵埃が分離される。
【０００５】
【特許文献１】特開２００４−２４９０１０号公報（段落［００７３］〜［００７５］、図１）
【特許文献２】特開２００３−８８４８５号公報（段落［００４４］〜［００６１］、図４）
【０００６】
サイクロン集塵機は、掃除機本体内において、掃除機本体に設けられる流入部と排気部との位置整合を取るため、或いは振動する掃除機本体との一体性を確保するために、掃除機本体に対して位置決めされた状態で固定されている。掃除機のデザイン及び掃除機全体の機能や取り扱い性を考慮して、サイクロン集塵機はその一部外面が外部に露出する状態で掃除機本体に収納され、掃除機本体と一体的な外観が与えられることが多い。サイクロン集塵機の掃除機本体への装着時に、サイクロン集塵機側の流路が掃除機本体の流入部及び排気部に対して整合される。したがって、表面的には、サイクロン集塵機の外観は、掃除機本体の外観に対して、大きな段差を付けないように設計される。
【０００７】
一方、サイクロン集塵機に集塵された塵埃が蓄積してきた場合には、ダストカップ内の塵埃をごみ箱等に捨てる必要がある。サイクロン集塵機は、一般に、サイクロン流れが流入してその流れ内に含まれる塵埃を集積可能なダアストカップと、当該ダストカップに装着可能であり且つダストカップの開口部を閉鎖可能な蓋部及び当該蓋部に内部側に組み立てられておりサイクロン流れを濾過して濾過流れを排気するフィルタ部を有するカップ蓋組立体とを備えている。サイクロン集塵機を掃除機本体に収容した状態では、ダストカップが掃除機の本体内側に配置されているので、ダストカップのみを単独でサイクロン掃除機本体から取り外すことができない。ダストカップを取り外すには、先ずサイクロン集塵機を掃除機本体から取り外し、その状態でサイクロン集塵機をカップ蓋組立体とダストカップとに分離する必要がある。フィルタの清掃に際しても、同様の操作が必要である。
【０００８】
掃除機本体から取り出されたサイクロン集塵機は、小型化が図られてはいるが、女性や高齢者或いは子供は勿論のこと、成人であっても片手で取り扱うには十分過ぎる大きさがある。また、ダストカップとカップ蓋組立体とは、隙間なく嵌合していないと、隙間からサイクロン流れが外部に漏れ出ることがある。そのため、ダストカップとカップ蓋組立体との相対的な動きをロックするロック手段を設けて、ダストカップとカップ蓋組立体とが簡単に分離することがないようにしている。ダストカップは、サイクロン流れに対応して、通常、円筒形かそれに近い形状に形成されているので、ダストカップとカップ蓋組立体との相対的な動きを円筒形の周方向と軸方向とに分けて、それぞれの動きを封じるようにロック手段の構造と配置とが決められている。したがって、ロック手段は、通常、カップ蓋組立体の周囲において複数箇所に設けられたクランプの形態を採ることが多い。
【０００９】
ダストカップとカップ蓋組立体とを分離するには、これらの複数のクランプを同時に解除して、カップ蓋組立体をダストカップに対して周方向にも軸方向にもフリーな状態とする必要があるが、各クランプを順次解除していくには手間を取り、作業性や利便性の点で改善が求められている。
【発明の開示】
【発明が解決しようとする課題】
【００１０】
そこで、サイクロン集塵機において、ダストカップとカップ蓋組立体とを組み立てた状態で両者間の周方向の自由度を拘束し、クランプ操作を両者間における軸方向のみに限定する点で解決すべき課題がある。
【００１１】
この発明の目的は、クランプ操作を両者間における軸方向のみに限定して、ダストカップとカップ蓋組立体との装着・解除に際して必要な操作を軽減して、サイクロン集塵機の作業性・利便性を高めて、女性や高齢者或いは子供は勿論のこと、成人であっても取り扱いがしやすいサイクロン式掃除機を提供することである。
【課題を解決するための手段】
【００１２】
上記の課題を解決するため、この発明によるサイクロン式掃除機は、サイクロン流れが流入して当該流れ内に含まれる塵埃を集積可能なダストカップと、当該ダストカップに装着可能であり且つ当該ダストカップの開口部を閉鎖可能な蓋部及び当該蓋部に内部側に組み立てられサイクロン流れを濾過して濾過流れを排気するフィルタ部を有するカップ蓋組立体とを備え、ダストカップとカップ蓋組立体との間には、カップ蓋組立体のダストカップへの装着状態で機能する相対回転防止手段と、カップ蓋組立体のダストカップからの軸方向の抜出しを防止する解除可能な単一のロック手段とが設けられていることから成っている。
【００１３】
このサイクロン式掃除機によれば、カップ蓋組立体をダストカップに装着しロック手段が作動している状態では、ダストカップとカップ蓋組立体との間には既に相対回転防止手段が機能しているので、両者は相対回転ができず、また、ロック手段がカップ蓋組立体のダストカップからの軸方向の抜出しを防止している。したがって、ロック手段が作動している状態では、カップ蓋組立体とダストカップとは一体状態にあってカップ蓋組立体とダストカップとが分離することはない。集塵が進んでゴミを捨てる必要がある場合など、サイクロン集塵機を構成するダストカップとカップ蓋組立体とを分離する場合は、単一のロック手段を解除することで、カップ蓋組立体とダストカップとの軸方向の拘束が解除され、軸方向の移動、即ち、抜き出すことが可能になる。カップ蓋組立体をダストカップから抜き出すと、自ずと装着状態から離れて相対回転防止手段が機能しなくなり、カップ蓋組立体をダストカップから完全に分離することができる。
【００１４】
このサイクロン式掃除機において、カップ蓋組立体は、フィルタ部の下部に取り付けられ且つダストカップの底部に達する流れ規制羽根を更に有しており、相対回転防止手段は、カップ蓋組立体の流れ規制羽根の下端部と、ダストカップの底部に形成されており流れ規制羽根の下端部と係合可能なリブ部とによって構成することができる。カップ蓋組立体は、フィルタ部の下部に取り付けられ且つダストカップの底部に達する流れ規制羽根を有することができる。カップ蓋組立体には、集塵したゴミの舞い上がりを防止するため、ダストカップ内でサイクロン流れを規制して流速を弱める流れ規制羽根が設けられている。カップ蓋組立体がダストカップに対して所定の位置を占めたとき、流れ規制羽根は、ダストカップの底部に形成されているリブ部と係合するので、カップ蓋組立体は流れ規制羽根とともにダストカップ内で相対回転するのが防止される。
【００１５】
このサイクロン式掃除機において、ロック手段は、ダストカップにカップ蓋組立体をロック状態に置くロック位置と、カップ蓋組立体を非ロック状態に置く非ロック位置との間で変位可能とすることができる。ロック手段をロック位置と非ロック位置との間で変位させ操作をすることで、カップ蓋組立体をダストカップに対してロックするかロック解除することができる。また、この場合、ロック手段は、ダストカップに回動可能に設けられているクランプを備え、当該クランプをロック位置に向かって弾性手段で付勢することができる。弾性手段で付勢されるクランプを備えることにより、弾性手段の付勢力に抗してクランプを非ロック位置に変位させる操作をすることでカップ蓋組立体をダストカップに対して非ロック状態とすることができる。また、その操作を解除すると、クランプは弾性手段の付勢力によって自動的にロック位置に変位し、カップ蓋組立体をダストカップに対してロック状態に移行させることができる。
【００１６】
このクランプを備えるサイクロン式掃除機において、カップ蓋組立体は、蓋部の外方へ突出して設けられておりクランプと係合可能な爪部を有することができる。カップ蓋組立体に、クランプと係合する爪部を設けることにより、カップ蓋組立体のダストカップへの嵌合に対する影響を無くすとともに、爪部は、クランプが係合する相手としての目標となり、カップ蓋組立体のダストカップへの装着位置を一義的に定めることができる。
【００１７】
上記の各サイクロン式掃除機において、カップ蓋組立体には、握り用のハンドルが飛び出し可能に設けることができる。カップ蓋組立体のダストカップへの装着と取外しに際しては、カップ蓋組立体からハンドルを飛び出させて、そのハンドルを把持しながらロック手段を操作することができる。即ち、カップ蓋組立体についてはハンドルを握ることで、またダストカップについてはロック手段を介して台や床の上で押えることで、カップ蓋組立体のダストカップへの装着又は取出しの操作ができる。
【発明の効果】
【００１８】
この発明によるサイクロン式掃除機は、上記のように構成されているので、サイクロン集塵機を構成するダストカップとカップ蓋組立体とを分離する場合は、単一のロック手段を解除するという少ない操作で、カップ蓋組立体とダストカップとの軸方向の拘束が解除され、軸方向の移動が可能になる。カップ蓋組立体がダストカップから軸方向に変位すると、自ずと装着状態から離脱して相対回転防止手段が機能しなくなり、カップ蓋組立体をダストカップから完全に分離することができる。したがって、ダストカップとカップ蓋組立体との装着・解除に際して操作する必要があるロック手段は両者間における軸方向のみの一つのロック手段に限定され、サイクロン集塵機の作業性・利便性を高めて、女性や高齢者或いは子供は勿論のこと、成人であっても取り扱いが簡単なサイクロン式掃除機が得られる。
【発明を実施するための最良の形態】
【００１９】
以下、添付した図面に基づいて、この発明によるサイクロン式掃除機の実施例を説明する。図１はこの発明によるサイクロン式掃除機の一実施例を示す外観図、図２は図１に示すサイクロン式掃除機のケースとカバーを取り外した状態で示す内部構造を示す斜視図である。
【００２０】
図１に示すサイクロン式掃除機１は、掃除機本体２、接続ホース３、吸込ヘッド４を有している。掃除機本体２は、ケース５、車輪６及びケース５に収容されている掃除機本体２の上部主要部分を覆うカバー７を備えている。接続ホース３は、吸込ヘッド４から吸引された空気を掃除機本体２に供給するための供給路を構成している。接続ホース３には、吸込ヘッド４の位置や方向を操作すると共に、掃除機本体２に備わる掃除機の掻く機能を手動で制御するための操作・制御部８が設けられている。吸込ヘッド４は、後述する電動送風機の運転により、空気吸込口（図示しない）を介して塵埃を空気と共に吸引可能である。
【００２１】
掃除機本体２の内部には、図２に示すように、電動送風機９、サイクロン集塵機１０及び後部フィルタ６０を有している。電動送風機９は、吸込ヘッド４から、接続ホース３及びサイクロン集塵機１０を介して空気を吸引する。サイクロン集塵機１０は、掃除機本体２に対して着脱可能に設けられており、後述するように、電動送風機９によって吸引された空気を旋回させ、上記空気に含まれる塵埃を遠心分離する集塵機である。
【００２２】
上記構成において、掃除機本体２に収容された電動送風機９が駆動されると、吸込ヘッド４の空気吸込口より空気が吸引され、接続ホース３を介してサイクロン集塵機１０に送られる。サイクロン集塵機１０では、空気中に含まれる塵埃が遠心分離され、ダストカップ１２に集積される。一方、塵埃の除去された空気は、その後、サイクロン集塵機１０の排気筒１５及びフィルタ部１６を介して、掃除機本体２に設けられた排出口（図示せず）より、機外に排出される。
【００２３】
図３は、サイクロン集塵機において、カップ蓋組立体に設けられているハンドルが収納されている状態を示す斜視図、図４は図３に示すサイクロン集塵機において、カップ蓋組立体に設けられているハンドルが飛び出している状態を示す図、図５は図３に示すサイクロン集塵機の縦断面図、図６は図３に示すサイクロン集塵機から取り出されたカップ蓋組立体の要部を示す斜視図、図７は図３に示すサイクロン集塵機からカップ蓋組立体が取り出された後の集塵カップを示す斜視図である。
【００２４】
以下での説明の便宜上、電気掃除機において接続ホース３（図１参照）が接続される側を前方と称し、これとは反対側を後方と称する。また、サイクロン集塵機１０の掃除機本体２からの取り出し方向を上方と称し、サイクロン集塵機１０の掃除機本体２への収容方向を下方と称する。
【００２５】
サイクロン集塵機１０は、集塵機本体としてのカップ蓋組立体１１と、ダストカップ１２（集塵容器）とを有している。すなわち、サイクロン集塵機１０において、ダストカップ１２を除く部分がカップ蓋組立体１１を構成している。
【００２６】
ダストカップ１２は、吸引された空気の高速旋回によって遠心分離された塵埃を集積するための略円筒形の容器であり、特に、図５〜図７に示すように、上部に形成される開口部には集塵機本体１１が着脱可能に連結されている。また、図１に示す吸込ヘッド４から接続ホース３を通して供給される空気を集塵機内に導入するため、ダストカップ１２の側面の前方且つ上方には空気導入口１２ａが形成されている。ダストカップ１２の内部上方には、図５に示すように、空気導入口１２ａを通じて導入された空気が高速旋回される環状のサイクロン集塵室１２ｂが形成されている。
【００２７】
カップ蓋組立体１１は、図５又は図６に示すように、ダストカップ１２の上蓋としての蓋体１３と、蓋底板１４と、排気筒１５と、フィルタ部１６と、清掃具１７と、連結手段１８とを備えている。図３〜図６に示すように、蓋体１３はハンドル体３０を備えており、例えば、図１に示すようなカバー７の係脱のための操作部４０を操作することなどにより、同時にハンドル体３０の蓋体１３からの係合解除を連動させて、ハンドル体３０を蓋体１３からポップアップさせることができる。ハンドル体３０のポップアップ状態が、図４及び図６に示されている。
【００２８】
蓋体１３は、天面１９と、側面部２０とで構成され、ダストカップ１２との接合側が蓋底板１４に結合されている。天面１９は、カバー７の内面との間に形成されるスペースを可能な限り少なくなるような滑らかな曲面で形成されており、サイクロン式掃除機１の小型化に寄与している。前方の空気導入口１２ａに流入され、サイクロン集塵機１０で塵埃を遠心分離され、排気筒１５を上昇した空気は、蓋体１３の後方に形成されている空気排出口２１から、更に後方に排出される。
【００２９】
カップ蓋組立体１１は、ダストカップ１２への装着時に、蓋体１３が側面部２０においてダストカップ１２の開口部に嵌合されて、開口部を塞ぐことができる。その嵌合状態では、集塵機本体１１はダストカップ１２に対して左右前後の方向には不動となり、側面部２０に配置されたリング状のパッキン２２（図５参照）が、ダストカップ１２の開口部を密封可能であり、集塵した塵埃が外部に漏れ出ることを防止している。
【００３０】
カップ蓋組立体１１においては、図５及び図６に示すように、蓋底板１４の略中央部には、排気筒１５の径に対応した開口部が形成されており、排気筒１５は、その開口部が蓋底板１４の開口部と一致するように、蓋底板１４に固定されている。排気筒１５は、サイクロン集塵室１２ｂにて塵埃を遠心分離した後の空気を排出するための複数の排気口が周面に開口された円筒であり、その周面には、上記排気口を覆うようにフィルタ１６（第１のフィルタ）が被覆されている。フィルタ１６は、サイクロン集塵室１２ｂでの遠心分離によってもなお除去されなかった細かな塵埃を除去するものであり、例えばメッシュ状に形成されている。
【００３１】
排気筒１５の軸方向における一端（上端）は、上述したように蓋底板１４の開口部に連結されている。したがって、排気筒１５は、蓋底板１４を介して蓋体１３と一体化される。一方、排気筒１５の軸方向の他端（下端）は、サイクロン集塵室１２ｂとその下方の塵埃集積室１２ｃとを区切る遮蔽部材２６を介して抑止弁２５に連結されている。遮蔽部材２６は、下側の集塵集積室１２ｃに溜められる塵埃が上側のサイクロン集塵室１２ｂに舞い上がるのを防止する。抑止弁２５は、例えば、上記軸方向から見て十字羽根の形状に形成された放射方向に延びる四枚の流れ規制羽根２５ａの構造を持つ。流れ規制羽根２５ａは、サイクロン集塵室１２ｂにおける空気の高速旋回によって、ダストカップ１２内の塵埃が舞い上がるのを抑止するためのものである。抑止弁２５と遮蔽部材２６とは、この例では一体化された下部アッセンブリ２８とされているが、別個に製作したものを結合させてもよい。排気筒１５を利用してその下部に下部アッセンブリ２８を取付けることで、ダストカップ１２内に下部アッセンブリ２８を配置することができる。また、下部アッセンブリ２８は、排気筒１５の下部に対してバヨネット、又はねじ等の固着手段２９によって着脱自在に取り付けることで、排気筒１５及び下部アッセンブリ２８を分解してそれぞれを清掃・洗浄することができ、利便性が向上する。
【００３２】
以上の構成により、サイクロン集塵機１０の空気導入口１２ａからサイクロン集塵室１２ｂに導入された空気は、サイクロン集塵室１２ｂにて高速旋回され、排気筒１５の周面のフィルタ１６および排気口を介して排気筒１５内に進入する。このとき、サイクロン集塵室１２ｂにて空気から除去されなかった塵埃のほとんどは、フィルタ１６にて除去される。フィルタ１６及び排気口を通過した空気は、排気筒１５の内部を軸方向蓋体１３側に進行し、蓋底板１４の開口部を介して蓋体１３内の通路を経て空気排出口２１から後続の後部フィルタ６０（図２）に供給される。そして、上記空気は後部フィルタ６０にてさらに清浄化され（フィルタ１６にて除去されなかった塵埃が除去され）、後部フィルタ６０の図示しない排気口からサイクロン集塵機１０の外部に排出され、掃除機本体１内の図示しない排気路及び電動送風機９（図２）を通じて掃除機本体２の外部に排出される。
【００３３】
カップ蓋組立体１１には、蓋体１３から天面１９の上方にポップアップ動作で飛び出すハンドル体３０が設けられている。ハンドル体３０は、蓋体１３において、中心を通って前後方向に延びる掴み部３１とその両端において一体的に下方向に延びる異形の軸部３２，３３を有している。ハンドル体３０は、図３に示すように、カップ蓋組立体１１に収容された状態では両端を除いて殆ど蓋体１３にハンドル体３０の形状に合わせて形成された収容凹部２７内に沈んだ状態にあるが、ポップアップ状態では、図４に示すように、軸部３２，３３が蓋体１３が飛び出した状態となる。ハンドル体３０は、軸部３２，３３がカップ蓋組立体１１の蓋底板１４から延びるガイド部分３４ａ，３４ｂに摺動案内されることによって、カップ蓋組立体１１に対してバランス良く上下方向に案内される。ハンドル体３０を蓋体１３からポップアップ方向に付勢するため、軸部３２，３３内には、蓋体１３と一体の蓋底板１４との間には、図示しない弾性体（例えば、コイルばね）が介装されている。ハンドル体３０をこの弾性体の付勢力に抗して蓋体１３内での収納状態を維持するため、ハンドルクランプ３６が掴み部３１の中程に設けられている。例えば、図１にしめされている操作部４０によるカバー７を掃除機本体２から取り外す際の操作を連動機構４１を介してハンドルクランプ３６の解除動作に連動させることによって、ハンドル体３０は、ハンドルクランプ３６による蓋体１３へのクランプ状態から解除されて、弾性体の復元力によってポップアップされる。ハンドル体３０のポップアップ量は、後述する清掃具１７のストロークによって制限される。この実施例では、操作部４０におけるワンタッチの操作でカバー７を掃除機本体２から開くとともにハンドル体３０を蓋体１３から自動的にポップアップさせることができ、ユーザは、飛び出したハンドル体３０を掴み、カップ蓋組立体１１とダストカップ１２とを持ち上げて、サイクロン集塵機１０の取り出し・装着という着脱操作における操作性を向上することができる。
【００３４】
次に、清掃具１７および連結手段１８について説明する。図５に示すように、清掃具１７は、排気筒１５の周面のフィルタ１６と摺動することによってフィルタ１６を清掃するものであり、フィルタ１６の周面に沿ってフィルタ１６と摺動するブラシからなるクリーニングリング５０と、そのブラシを支持する平板環状のリングホルダ５１とを備えている。清掃具１７は、ハンドル体３０を蓋体１３内に収容した状態では、クリーニングリング５０が遮蔽部材２６と接触する最下位置に配されている。
【００３５】
図６に示すように、連結手段１８は、リングホルダ５１をハンドル体３０に連結する複数本のシャフト５２を備えており、ハンドル体３０の蓋体１３からのポップアップ動作と連動して、清掃具１７をフィルタ１６に対して摺動させる。排気筒１５の外周面を可及的に滑らかな筒面として塵埃が蓄積する不要な凹凸部の形成を回避するため、シャフト５２は、排気筒１５の外周に形成された凹溝内に収容されて、ハンドル体３０のポップアップ動作に連動して凹溝内を摺動可能とされている。
【００３６】
上記構成によれば、ハンドル体３０は、連結手段１８を構成するシャフト５２を介してクリーニングリング５０と一体的に上下動する。したがって、ハンドル体３０がポップアップ動作をする毎に、シャフト５２を介してクリーニングリング５０が上動して、排気筒１５のフィルタ１６のフィルタ面側を摺動する。その結果、フィルタ１６に集塵された細かい塵埃は、クリーニングリング５０によって掻き取られ、サイクロン集塵室１２ｂ内に落とされる。
【００３７】
カップ蓋組立体１１のダストカップ１２への装着を着脱可能にし、装着状態では嵌合状態を保持するために、ダストカップ１２には、この発明におけるロック手段が設けられている。図８はサイクロン集塵機に用いられるロック手段の作動を示す説明図であり、図８（ａ）はロック手段がカップ蓋組立体をダストカップに対してロック状態に置いている状態を示しており、図８（ｂ）はロック手段がカップ蓋組立体をダストカップに対して非ロック状態に置いている状態を示している。ロック手段は、軸２４の回りに手の操作で回動可能なレバー状のクランプ２３と、クランプ２３を図８において矢印Ａ方向への付勢力で付勢示するばね２４ａのような弾性手段とを備えている。ロック手段は、図５及び図８に示すように、カップ蓋組立体１１において、１個のみ設けられている単一のロック手段である。ロック手段が図８（ａ）に示すロック位置を占める状態では、クランプ２３の係止部分２３ａが、この付勢力によって側面部２０の一部として側方に延びる爪部２０ａを押えることによって、カップ蓋組立体１１がダストカップ１２から軸方向、即ち、上方向へ離脱することを防止している。ロック状態では、クランプ２３は、カップ蓋組立体１１とダストカップ１２のガタツキを防止している。集塵した塵埃を捨てる場合やフィルタを洗う場合等には、クランプ２３を指で押すなどしてばね２４ａの付勢力に抗して回動させて、係止部分２３ａを爪部２０ａから離すことにより、ロック手段は図８（ｂ）に示す非ロック位置を占め、カップ蓋組立体１１とダストカップ１２とを分離することができる。
【００３８】
クランプ２３がカップ蓋組立体１１の軸方向の抜け出しを防止することと協働して、カップ蓋組立体１１のダストカップ１２に対するどの方向への動きも防止するため、カップ蓋組立体１１のダストカップ１２への装着状態においてカップ蓋組立体１１のダストカップ１２に対する相対回転を防止する相対回転防止手段が設けられている。この実施例では、図５及び図６に示すように、相対回転防止手段は、下部アッセンブリ２８として十字羽根に形成された流れ規制羽根２５ａの構造を持つ抑止弁２５が利用される。ダストカップ１２の底部には、一体成形で形成された十字状のリブ５７によって十字状の溝が形成されており、相対回転防止手段は、抑止弁２５の十字状の流れ規制羽根２５ａがこの溝に係合する構造によって得られる。即ち、カップ蓋組立品１１をダストカップ１２内に装着或いは離脱の際に、相対回転防止手段は、抑止弁２５の下端がリブ５７で形成される溝内に係合する、或いは抜け出すというような上下方向の移動については許容するが、カップ蓋組立体１１がダストカップ１２内で上下軸回りでの相対回転するのを防止する。カップ蓋組立品１１がダストカップ１２内で装着された状態でロック手段が作動し、カップ蓋組立品１１をダストカップ１２に対して抜け出し方向に規制することだけで、カップ蓋組立品１１のダストカップ１２に対するロックが完了する。
【００３９】
サイクロン集塵機１０のダストカップ１２に溜まった塵埃を捨てる場合やフィルタ１６等を洗浄するなどの場合には、上記ポップアップしたハンドル体３０を一方の手で掴んで、カップ蓋組立品１１とダストカップ１２とを一体的にして掃除機本体２から完全に取り出す。ハンドル体３０を把持した状態で、空いている方の手で単一のクランプ２３のロック状態を解除可能である。クランプ２３によるロック解除の後、カップ蓋組立品１１をダストカップ１２から縦方向に抜き取ることで、流れ規制羽根２５はリブ５７に形成されている溝から抜け出て、カップ蓋組立品１１はダストカップ１２から完全に分離される。
【００４０】
次に、取り出したサイクロン集塵機１０を再度、掃除機本体２に収容する場合には、上記操作を逆に行うことにより達成することができる。即ち、ハンドル体３０がポップアップした状態のままでカップ蓋組立品１１とダストカップ１２とを嵌合させ、流れ規制羽根２５の下端をリブ５７に形成されている溝に係合させ、その状態でクランプ２３によってロックする。カップ蓋組立品１１とダストカップ１２とがロックされたサイクロン集塵機１０を、ハンドル体３０を掴んだ状態で掃除機本体２に収容する。その後、ハンドル体３０を蓋体１３内に押し込んで、ハンドルクランプ３６を再係合させる。最後に、カバー７を掃除機本体２に対して閉じることで、一連の動作を終了する。
【００４１】
上記実施例では、相対回転防止手段は、流れ規制羽根２５とリブ５７を用いて構成されていたが、蓋体１３の周縁部分とダストカップ１２の開口部の内周部分とに形成するなど、互いに周方向に相対移動不可能に嵌合する適宜の凹凸嵌合構造に構成することができる。また、ロック手段は、クランプ２３とばね２４ａとから構成したが、これに代えてカップ蓋組立品１１とダストカップ１２とを上下方向に規制する適宜の手段を用いることができる。その他、本発明は、特許請求の範囲に記載された思想を逸脱しない範囲で、適宜に変更して実施することができることは明らかである。
【図面の簡単な説明】
【００４２】
【図１】この発明によるサイクロン式掃除機の一実施例を示す外観図。
【図２】図１に示すサイクロン式掃除機のケースとカバーを取り外した状態で示す内部構造を示す斜視図。
【図３】図２に示す内部構造のうちサイクロン集塵機を、カップ蓋組立体に設けられているハンドルが収納されている状態で示す斜視図。
【図４】図３に示すサイクロン集塵機において、カップ蓋組立体に設けられているハンドルが飛び出している状態を示す図。
【図５】図３に示すサイクロン集塵機の縦断面図。
【図６】図３に示すサイクロン集塵機から取り出されたカップ蓋組立体の要部を示す斜視図。
【図７】図３に示すサイクロン集塵機からカップ蓋組立体が取り出された後の集塵カップを示す斜視図。
【図８】サイクロン集塵機に用いられるロック手段の作動を示す説明図。
【符号の説明】
【００４３】
１  サイクロン式掃除機        ２  掃除機本体
３  接続ホース                ４  吸込ヘッド
５  ケース                    ６  車輪
７  カバー                    ８  操作・制御部
９  電動送風機                １０  サイクロン集塵機
１１  カップ蓋組立体          １２  ダストカップ
１２ａ  空気導入口            １２ｂ  サイクロン集塵室
１２ｃ  塵埃集積室            １３  蓋体
１４  蓋底板                  １５  排気筒
１６  フィルタ                １７  清掃具
１８  連結手段                １９  天面
２０  側面部                  ２０ａ  爪部
２１  空気排出口              ２２  パッキン
２３  クランプ                ２３ａ  係止部分
２４  軸                      ２４ａ  コイルばね
２５  抑止弁                  ２５ａ  流れ規制羽根
２６  遮蔽部材                ２７  収容凹部
２８  下部アッセンブリ        ２９  固着手段
３０  ハンドル体              ３１  掴み部
３２，３３  軸部              ３４ａ，３４ｂ  ガイド部分
３６  ハンドルクランプ        ４０  操作部
４１  連動機構                ５０  クリーニングリング
５１  リングホルダ            ５２  シャフト
６０  後部フィルタ
【図１】
2006167186.tif 000003
【図２】
2006167186.tif 000004
【図３】
2006167186.tif 000005
【図４】
2006167186.tif 000006
【図５】
2006167186.tif 000007
【図６】
2006167186.tif 000008
【図７】
2006167186.tif 000009
【図８】
2006167186.tif 000010